(57)【要約】【課題】足のアキレス腱の姿勢を正常化して、三角形状のアーチを本来の姿勢に矯正することができ、歩行による足の血液循環を促進し、健康の増進を図ることができる履物に用いる中敷を提供する。【解決手段】中敷１１の踵骨支持部１１ａの裏面に平面形状が六角形の板状突部１７を接着する。該板状突部１７の対角線Ｌの寸法を２０ｍｍに設定し、厚さ寸法を人の体重により圧縮された状態で例えば１．５ｍｍに設定する。板状突部１７によって踵骨の隆起部の裏面にある脛骨神経及び内側腓腹皮神経が刺激され、これにより脚及び足の各種の神経、筋肉が活性化され、脚及び足の血管が刺激され、血行が良くなる。この結果、脚及び足の各種の筋肉が正常に戻り、傾斜しているアキレス腱が正常に戻り、足の三角形状のアーチが正常化される方向に向かい、外反足又は内反足が矯正される方向に向かい、歩行が正常化され、血液の循環（ポンプ）作用が正常化される。【選択図】図１
2006231041.tif 000002
【特許請求の範囲】
【請求項１】
足の踵骨の隆起部を支持する履物の踵骨支持部の中心部に対し、前記隆起部の裏面に延在する足の底の神経を、履物の使用状態において体重により前記隆起部の裏面に押し付けて刺激し、足の姿勢を矯正するための板状突部を設け、該板状突部を、扁平状の五角形、六角形、七角形及び八角形の群の中から一つ選択し、前記板状突部の直径寸法を、３〜２８ｍｍ、厚さ寸法を０．５〜６．０ｍｍに設定したことを特徴とする履物。
【請求項２】
請求項１において、前記板状突部の直径寸法は、８〜２５ｍｍ、厚さ寸法は１．８〜４．０ｍｍであることを特徴とする履物。
【請求項３】
請求項２において、前記板状突部の直径寸法は、１２〜２２ｍｍ、厚さ寸法は１．０〜２．２ｍｍであることを特徴とする履物。
【請求項４】
請求項１〜３のいずれか一項において、前記板状突部は弾性材により形成され、足の踵により圧縮された状態で前記厚さ寸法になるように設定されていることを特徴とする履物。
【請求項５】
請求項１〜４のいずれか一項において、前記板状突部の中心と、一つの頂点を結ぶ直線の延長線は、前記踵骨支持部の中心と足の第１指を支持する第１指支持部の中心を結ぶ第１直線と、同じく踵骨支持部の中心と足の第５指を支持する第５指支持部の中心を結ぶ第５直線との間を指向するように設定されていることを特徴とする履物。
【請求項６】
請求項１〜５のいずれか一項において、足の第３総底足側神経及び第４総底足側神経の少なくともいずれか一つの神経と対応する足裏を支持する履物の足裏支持部に対し、第３総底足側神経及び第４総底足側神経の少なくともいずれか一つの神経の刺激用の板状突部を設けたことを特徴とする履物。
【請求項７】
請求項１〜６のいずれか一項において、前記板状突部は前記踵骨支持部又は足裏支持部に対し取付位置の調節可能に構成されていることを特徴とする履物。
【請求項８】
請求項１〜７のいずれか一項に記載の履物に用いる板状突部を備えた中敷。
【発明の詳細な説明】
【技術分野】
【０００１】
本発明は、例えば、靴、下駄、スリッパ、サンダル、ハイヒール或いは靴下等の履物及びそれに用いる中敷に関する。
【背景技術】
【０００２】
一般に、人体の踵骨の隆起部を支持する靴底の踵骨支持部の上面は、ほぼ扁平状態に形成されているか中心部が下方にへこむように緩やかな皿状に形成されている。踵骨支持部の上面全体に多数の突起を設け、足の踵の裏面を刺激して、血行を促進し、足の健康に寄与するようになっているものも提案されている。（特許文献１参照）又、靴の中敷の裏面にクッション性のあるショック吸収材を設けたものも提案されている。
【０００３】
さらに、履物用中敷として、特許文献２に記載されたものも提案されている。この中敷は中敷の踵部の中心部に碁石形状や扁平な円形や多角形や細長い形状の永久磁石を取り付け、足の裏のツボ等に対し刺激を与え、物理的及び磁気的効果を発揮するようになっている。
【０００４】
さらに、ソックスカバーとして、特許文献３に記載されたものが提案されている。このソックスカバーは、踵部の表面に袋部を設け、この袋部内に円形、角形等の扁平板状体を収容し、足の踵部のツボを刺激するようになっている。
【特許文献１】特開２０００−８３７０６号公報
【特許文献２】実用新案登録第３０２６５１８号公報
【特許文献３】実用新案登録第３０７５３６９号公報
【発明の開示】
【発明が解決しようとする課題】
【０００５】
一般に、人の正常な足には、図９に示すように足の各種の骨と筋肉により土踏まず側に形成される内側アーチＡ１と、外側に形成される外側アーチＡ２と、前側に形成される前側アーチＡ３とからなる平面ほぼ三角形状をなす三角形状のアーチ（後に詳述する）が形成される。加齢や病気等により足の筋肉や腱の機能が低下すると、前記三角形状のアーチＡ１〜Ａ３が崩れることになる。このアーチの保持と安定化が損なわれて、偏平足、外反足或いは内反足になると、歩行する際に足のアーチの屈曲運動による血液の循環（ポンプ）作用が低下するとともに、踵部の着地時に足の骨格への衝撃が大きくなり、歩行動作が疲れ易くなることが知られている。外反足の右足の場合には、アキレス腱が右足の後方から見て上方に行くほど外側に傾斜する。
【０００６】
ところが、上述したショック吸収材或いは特許文献１に記載された靴底の踵骨支持部の構造は、足が偏平足、外反足或いは内反足となって、前記三角形状のアーチＡ１〜Ａ３が崩れている場合に、本来の三角形状のアーチに矯正する方向へ向かわせるための機能を発揮することができず、根本的な解決策にはならないという問題があった。
【０００７】
特許文献２に記載された履物用中敷は、各種形状の永久磁石を取り付けているが、永久磁石の形状、厚さ寸法及び直径寸法をそれぞれ所定の範囲内に設定することにより本来の三角形状のアーチに矯正する方向へ向かわせるための効果があることに想到したものではなく、単なる足の踵部のツボの刺激による効果しか発揮することができないという問題があった。
【０００８】
さらに、特許文献３に記載されたソックスカバーは、踵部の表面に袋部を設け、この袋部内に円形、角形等の扁平板状体を収容し、足の踵部のツボを刺激するようになっている。しかし、このソックスカバーは、前記扁平板状体の形状、厚さ寸法及び直径寸法をそれぞれ所定の範囲内に設定することにより本来の三角形状のアーチに矯正する方向へ向かわせるための効果があることに想到したものではなく、単なる足の踵部のツボの刺激による効果しか発揮することができないという問題があった。
【０００９】
本発明は、足のアキレス腱の姿勢を正常化して、足の三角形状のアーチを本来の姿勢に矯正する方向に向かわせることができ、歩行による足の血液（ポンプ）循環を促進し、健康の増進を図ることができる履物及びそれに用いる中敷を提供することにある。
【課題を解決するための手段】
【００１０】
上記問題点を解決するために、請求項１に記載の発明は、足の踵骨の隆起部を支持する履物の踵骨支持部の中心部に対し、前記隆起部の裏面に延在する足の底の神経を、履物の使用状態において体重により前記隆起部の裏面に押し付けて刺激し、足の姿勢を矯正するための板状突部を設け、該板状突部を、扁平状の五角形、六角形、七角形及び八角形の群の中から一つ選択し、前記板状突部の直径寸法を、３〜２８ｍｍ、厚さ寸法を０．５〜６．０ｍｍに設定したことを要旨とする。
【００１１】
請求項２に記載の発明は、請求項１において、前記板状突部の直径寸法は、８〜２５ｍｍ、厚さ寸法は１．８〜４．０ｍｍであることを要旨とする。
請求項３に記載の発明は、請求項２において、前記板状突部の直径寸法は、１２〜２２ｍｍ、厚さ寸法は１．０〜２．２ｍｍであることを要旨とする。
【００１２】
請求項４に記載の発明は、請求項１〜３のいずれか一項において、前記板状突部は弾性材により形成され、足の踵により圧縮された状態で前記厚さ寸法になるように設定されていることを要旨とする。
【００１３】
請求項５に記載の発明は、請求項１〜４のいずれか一項において、前記板状突部の中心と、一つの頂点を結ぶ直線の延長線は、前記踵骨支持部の中心と足の第１指を支持する第１指支持部の中心を結ぶ第１直線と、同じく踵骨支持部の中心と足の第５指を支持する第５指支持部の中心を結ぶ第５直線との間を指向するように設定されていることを要旨とする。
【００１４】
請求項６に記載の発明は、請求項１〜５のいずれか一項において、足の第３総底足側神経及び第４総底足側神経の少なくともいずれか一つの神経と対応する足裏を支持する履物の足裏支持部に対し、第３総底足側神経及び第４総底足側神経の少なくともいずれか一つの神経の刺激用の板状突部を設けたことを要旨とする。
【００１５】
請求項７に記載の発明は、請求項１〜６のいずれか一項において、前記板状突部は前記踵骨支持部又は足裏支持部に対し取付位置の調節可能に構成されていることを要旨とする。
【００１６】
請求項８に記載の発明は、請求項１〜７のいずれか一項に記載の履物に用いる板状突部を備えた中敷を要旨とする。
【発明の効果】
【００１７】
本発明によれば、足の靭帯の緩みや筋肉の老化等で足の三角形状のアーチが崩れて、足が例えば外反足、内反足、開帳足、偏平足或いはＯ脚等になる場合が多く、このように足が正常でない場合に、踵骨の裏面に延在する足の底の神経の一部が前記板状突部によって刺激され、この足の底の各種の神経の刺激により、脚及び足の各種の神経及び筋肉が活性化される。この神経及び筋肉の活性化により、脚及び足の血管が刺激され、血液循環が良くなる。この結果、脚及び足の各種の筋肉が正常な姿勢に戻るため、傾斜していたアキレス腱が上下方向に指向する正常状態に戻り、足の三角形状のアーチが正常化される方向へ向かう。従って、外反足又は内反足が矯正される方向へ向かい、歩行が正常化され、歩行による足の血液循環（ポンプ）作用が促進され、健康の増進を図ることができる。
【発明を実施するための最良の形態】
【００１８】
以下、本発明を具体化した履物に用いる中敷の一実施形態を図１〜図９にしたがって説明する。
図１に示すように、右側の靴の底部に敷かれる中敷１１は、人体の右側の足の裏の形状とほぼ同形状に形成された例えば綿、羊毛等の天然繊維或いは合成繊維等の織物、編み物、或いは不織布等の繊維製品よりなる本体シート１２を備えている。この本体シート１２の上面には、図３に示すように抗菌・消臭処理を施した例えば合成皮革よりなる化粧シート１３が接着剤１４によって接着されている。前記化粧シート１３の足の踵支持部のほぼ全域には、例えば合成皮革又は天然皮革よりなるネームシート１５がミシン糸１６又は接着剤によって縫着されている。
【００１９】
図４に示すように、前記中敷１１の踵骨支持部１１ａの中心Ｏ１の裏面には、例えばポリウレタン樹脂、塩化ビニル樹脂、アクリル樹脂、ポリエチレン樹脂又はポリプロピレン樹脂等の合成樹脂シート又は成型体或いは合成樹脂発泡体よりなる板状突部１７が図３に示すように接着剤１８によって接着されている。この板状突部１７は図４に示すように正六角形に形成され、その中心Ｏ２を通る対角線Ｌの長さを直径Ｆと仮定すると、この直径Ｆの寸法は、３．０〜２８．０ｍｍの範囲に設定され、図３に示す板状突部１７の厚さｔの寸法は、０．２〜６．０ｍｍの範囲に設定されている。
【００２０】
前記板状突部１７の直径Ｆの寸法は、８〜２５ｍｍが望ましく、さらに望ましい寸法は１２〜２２ｍｍである。又、板状突部１７の厚さｔの寸法は０．４〜４．０ｍｍが望ましく、さらに望ましい寸法は０．７〜２．４ｍｍ、最も望ましいのは１．０〜２．２ｍｍである。この実施形態では板状突部１７の直径Ｆの寸法を１５ｍｍ、厚さｔの寸法を１．８ｍｍとしている。板状突部１７の材料が例えば発泡成型体や柔らかい材料のように圧縮性を有するものでは、体重によって板状突部１７が圧縮された状態で前述した各寸法になるように設定されている。従って、通常の歩行に用いる履物に使用する場合と、運動靴に用いる場合とでは、板状突部１７に作用する圧力が異なるので、非圧縮状態の板状突部１７の厚さｔ寸法は自ずと異なり、後者は前者の２〜４倍の厚さに設定される。
【００２１】
次に、図４に基づいて、前記板状突部１７の取付位置について説明する。
この実施形態では、前記中敷１１の踵骨支持部１１ａの中心Ｏ１に前記板状突部１７の中心Ｏ２を一致させている。又、前記板状突部１７の中心Ｏ２の踵骨支持部１１ａの中心Ｏ１を基準とする幅Ｗ方向の許容変位量は、右側及び左側へそれぞれ０〜４．５ｍｍである。さらに、前記板状突部１７の中心Ｏ２の踵骨支持部１１ａの中心Ｏ１を基準とする前方向への変位量は０〜１０ｍｍ、後方への変位量も０〜１０ｍｍである。
【００２２】
一般的に、踵骨支持部１１ａの中心Ｏ１は、図４に示すように中敷１１の左右方向の中心に位置するとともに、中敷１１の後端Ｅから前方に所定距離（一般的に１４〜２８ｍｍ）だけ離隔した位置にある。しかし、人によっては踵骨３７の中心（後述する図８の踵骨隆起部３７ａの中心Ｏ３７参照）と踵骨支持部１１ａの中心Ｏ１が一致しない場合がある。この場合には、図４において、踵骨支持部１１ａの中心Ｏ１を変位させて設定し、その変位した中心Ｏ１に板状突部１７の中心Ｏ２を一致させる。この場合には変位した踵骨支持部１１ａの中心Ｏ１から板状突部１７の中心Ｏ２の前述した許容変位量が設定される。
【００２３】
次に、図５に基づいて、上記のように構成した中敷１１の使用方法について説明する。
図５に示すように、靴２１の足３０を支持する底材（ヒール材）２２の上部外周縁には、足３０の踵部３０ａを覆う被覆部２３の下端縁が接着剤により接着されている。前記底材２２の上面には、中底２４が接着剤により接着されている。この中底２４の上面２４ａには前記中敷１１の踵骨支持部１１ａが支持されている。前記踵骨支持部１１ａと被覆部２３には、足３０の踵部３０ａが収容されている。図５においては、人の体重により板状突部１７によって本体シート１２、化粧シート１３及びネームシート１５が局部的に上方に盛り上り、踵骨３７の隆起部３７ａの裏面を局部的に刺激する。
【００２４】
上記の使用状態においては、脚２９及び足３０を形成する脛骨３４、距骨３６及び踵骨３７の後側の表面に沿って上方から下方に延在する脛骨神経５１及び内側腓腹皮神経５３の下端部（末端部）が踵骨３７の隆起部３７ａの裏面中央部に延在している。又、図示しないがその他の各種の神経も延在している。そして、前記脛骨神経５１及び内側腓腹皮神経５３等の各種神経の下端部（末端部）が前記中敷１１に設けた板状突部１７の上方向への隆起部によって、人の体重の作用により踵骨３７の隆起部３７ａの裏面に押しつけられて刺激されることになる。この隆起部３７ａの裏面中心部の各種の神経のうち特に二つの脛骨神経５１及び内側腓腹皮神経５３の刺激によって、足のアキレス腱の姿勢を正常化して、足の三角形状のアーチを本来の姿勢に矯正する方向に向かわせることができ、歩行による足の血液循環（ポンプ）作用を促進し、健康の増進を図ることができるという顕著な効果が得られることが実験により判明した。この効果について以下に説明する。
【００２５】
最初に、図６〜図９を用いて人の脚と足に関する構成について説明する。
図６には人体の下半身の脚２９、足３０、脊椎３１、骨盤３２、脚２９の大腿骨３３、脛骨３４、腓骨３５、足３０の距骨３６、踵骨３７、足指骨群３８が示されている。又、大殿筋４１、大腿四頭筋４２、大腿二頭筋４３、腓腹筋４４、アキレス腱４５、前脛骨筋４６も示されている。
【００２６】
図７には、脊椎３１、骨盤３２、大腿骨３３、脛骨３４、踵骨３７、前述した脛骨神経５１、総腓骨神経５２、前述した内側腓腹皮神経５３等が示されている。前記脛骨神経５１と内側腓腹皮神経５３は、自律神経系に関係しており、この自律神経系は交感神経系と、迷走神経系を介した副交感神経系という、互いに反対の作用を起こす（拮抗作用）二つの系統に分けられる。又、図示しないが、前記総腓骨神経５２は、脚２９の前側において浅腓骨神経と深腓骨神経に分岐されている。
【００２７】
足を裏側から見た図８には、足３０の踵骨３７に接続される骨群３８が示されている。この図８には、舟状骨５６、立方骨５７、第１楔状骨５８、第２楔状骨５９、第３楔状骨６０、第１足指骨群６１、第２足指骨群６２、第３足指骨群６３、第４足指骨群６４、第５足指骨群６５及び第１足指骨群６１が示されている。この実施形態では、踵骨３７の隆起部３７ａの中心Ｏ３７（図４の踵骨支持部１１ａの中心Ｏ１と同じ）と、前記第１足指骨群６１の先端部の中心Ｏ３（図２には中敷１１の第１足指支持部の中心Ｏ３が示されている）を結ぶ第１直線Ｌ１と、同じく前記中心Ｏ１と、前記第２足指骨群６２の先端部の中心Ｏ４（図２には中敷１１の第２足指支持部の中心Ｏ４が示されている）を結ぶ第２直線Ｌ２の間の中心に前記板状突部１７の対角線Ｌの延長線Ｌ´が指向するように板状突部１７の配置姿勢が決定されている。前記第１直線Ｌ１と、前記中心Ｏ１と前記第５足指骨群６５の先端部の中心Ｏ５（図２には中敷１１の第５足指支持部の中心Ｏ５が示されている）を結ぶ第５直線Ｌ５との間に前記板状突部１７の対角線Ｌの延長線Ｌ´が指向するように板状突部１７の配置姿勢が設定されるのが望ましい。
【００２８】
図９は足３０の正常状態における三角形状のアーチの形成状態を示す。踵骨３７の隆起部３７ａの中心０３７と、第１足指骨群６１の第１中足骨６１ａの先端部との間に内側アーチＡ１が形成され、同じく隆起部３７ａの中心Ｏ３７と第５足指骨群６５の第５中足骨６５ａの先端部との間に外側アーチＡ２が形成されている。又、第１中足骨６１ａの先端部と、第５中足骨６５ａの先端部との間には、前側アーチＡ３が形成されている。各アーチＡ１〜Ａ３は、前記各種の骨と図示しない正常な筋肉とによって形成される。
【００２９】
次に、図５において、脛骨神経５１及び内側腓腹皮神経５３の踵骨３７の隆起部３７ａの裏面側に延在した部分が板状突部１７によって刺激されることによる効果を、図５〜図８に基づいて説明する。
【００３０】
図７において、脛骨神経５１及び内側腓腹皮神経５３の下端部が板状突部１７によって刺激されると、脛骨神経５１及び内側腓腹皮神経５３の分岐神経、末梢神経が接続されている図６に示す大殿筋４１、大腿四頭筋４２、大腿二頭筋４３、腓腹筋４４及び前脛骨筋４６等の弛みが矯正されて活性化されるので、それらの筋肉が正常の姿勢に戻る。これによって、大殿筋４１に張りが生じて、骨盤３２の左右のアンバランスが補正される。さらに、図示しないが脊柱起立筋の張りが回復し、広背筋及び僧帽筋の張りも回復し、脊髄の活性化が図られる。これによって、全身の筋肉の血管収縮運動が活性化され、血液循環の活性化が行われるとともに前述した自律神経系の活性化が行われ、脳の活性化が行われる。
【００３１】
又、図６に示す腓腹筋４４に接続されている不適正な傾斜した姿勢のアキレス腱４５が図５に示すように上下方向に延びる正常な位置に戻される。さらに、脚２９及び足３０の各種の筋肉の活性化及び正常な位置への復帰により圧迫されていた動脈及び静脈が活性化されるので、筋肉がさらに活性化される。
【００３２】
又、前記アキレス腱４５が正常な位置に復帰されると、足３０の前述した三角形状の三つのアーチＡ１，Ａ２，Ａ３が正常化される方向に向かう。このため、人が歩行する際に正常化された三つのアーチＡ１，Ａ２，Ａ３のうち内側のアーチＡ１に沿って体重移動が行われ、図８に示す足の足底動脈６６、足底静脈６７、足底動脈弓６８及び足の第１指と第２指の毛細血管等が刺激され、足３０による血液の循環（ポンプ）作用が促進され、血行を良くすることができる。又、足３０の踵部３０ａの着地時に足の骨格への衝撃が緩和され、歩行動作が疲れ難くなる。
【００３３】
次に、実験の結果について説明する。
前記板状突部１７を装着した中敷１１（実施例１〜５）と、板状突部１７を装着しない中敷（比較例１）を用いて、実験を行ったところ、表１及び表２に示すデータが得られた。実施例１〜５の板状突部１７の形状は六角形で、その材料は、いずれもポリウレタン樹脂の微発泡シートを裁断したものである。又、それらの直径Ｆの寸法が１５ｍｍ、厚さｔの寸法が人の体重による圧縮状態で１．５ｍｍの同じものを用いた。実施例１は踵骨支持部１１ａの中心Ｏ１と板状突部１７の中心Ｏ２が一致する箇所、実施例２、３は踵骨支持部１１ａの中心Ｏ１よりも板状突部１７の中心Ｏ２が前方に４ｍｍ、８ｍｍ変位した箇所、実施例４，５は踵骨支持部１１ａの中心Ｏ１よりも板状突部１７の中心Ｏ２が後方に４ｍｍ、８ｍｍ変位した箇所である。
【００３４】
【表１】
2006231041.tif 000003
【００３５】
【表２】
2006231041.tif 000004
表２における符号「ＨＦ」は、「Ｈｉｇｈ−ｆｒｅｑｕｅｎｃｙ  ｃｏｎｐｏｎｅｎｔ：高周波成分」、「ＬＦ」は、「Ｌｏｗ−ｆｒｅｑｕｅｎｃｙ  ｃｏｎｐｏｎｅｎｔ：低周波成分」である。又、「ＬＦ／ＨＦ」は交感神経活動、「ＨＦ」は「副交感神経活動」を意味する。表２中の数値は、心電図、呼吸数、心拍数及び血圧の四種類のデータに基づいて、高速フーリエ変換を用いた変動スペクトル解析装置による解析結果を示す係数である。交感神経活動「ＬＦ／ＨＦ」に関しては数値が高いほどよく、副交感神経活動「ＨＦ」に関しては数値が低いほどよいことを意味する。
【００３６】
表１及び表２における比較例１及び実施例１〜５は、それぞれ「２００歩」歩いた後、数分間のインターバルをとって測定した測定値を示す。なお、この測定時期は後掲の表３〜表８においても同様である。
【００３７】
実施例１の板状突部１７の中心Ｏ２の位置は、足３０の踵骨の隆起部３７ａの中心Ｏ３７と同じである。隆起部３７ａの中心Ｏ３７と対応する裏面は、踵部３０ａの底部外表面より上方へ１．２〜７．０ｍｍにある。この位置は、外側足底神経（脛骨神経５１及び総腓骨神経５２）を最も刺激する箇所であることが実験により確認された。すなわち、この箇所では、表２に示すように交感神経活動（ＬＦ／ＨＦ）が比較例１の０．８５７から１．５６７に上昇し、副交感神経活動（ＨＦ）が比較例１の０．０８５から０．０４３に低下することがわかった。
【００３８】
表１に示すように、実施例１では、心拍数は、比較例の６０回／分から６６回／分、血圧は比較例１の９７mmＨｇから１１９mmＨｇに上昇した。この結果は、血液循環量の増加を示すものである。板状突部１７の位置が前方に４ｍｍ、８ｍｍ、後方に４ｍｍ、８ｍｍの実施例２〜５においては、交感神経活動、副交感神経活動、心拍数、血圧ともに比較例１とほぼ同じで効果があまりないことがわかった。従って、実施例１のように板状突部１７の位置は指定した中敷１１の踵骨支持部１１ａの中心Ｏ１に板状突部１７の中心Ｏ２が一致するように貼着するのが最も優れていると言える。表２のデータによれば踵骨支持部１１ａの中心Ｏ１から板状突部１７の中心Ｏ２が前後にそれぞれ８ｍｍ変位しても効果はあるが、変位量が１０ｍｍ以上になると効果があまり期待できない。
【００３９】
次に、板状突部１７の形状を変化させた場合の実験結果について説明する。
板状突部１７を装着しない中敷（比較例１）と、三角形（比較例２）、四角形（比較例３）、五角形（実施例１）、六角形（実施例２）、七角形（実施例３）、八角形（実施例４）、九角形（比較例４）及び円形（比較例５）の板状突部１７を装着した中敷１１とを用いて、実験を行ったところ、表３及び表４に示すデータが得られた。各例の板状突部１７の材料は、いずれもポリウレタン樹脂の微発泡成型品である。又、比較例２，３，４，５及び実施例１〜４の板状突部１７の中心Ｏ２と一つの頂点を通る対角線Ｌ（例えば三角形又は五角形のように対角線と言えないものもあるが対角線と称す）の長さ寸法を直径Ｆと仮定すると、それらの寸法は全て１５ｍｍに設定した。又、厚さｔの寸法が人の体重による圧縮状態で１．８ｍｍとなる同じものを用いた。各例の板状突部１７の中心Ｏ２の位置は、全て踵骨支持部１１ａの中心Ｏ１と板状突部１７の中心Ｏ２と一致する箇所である。
【００４０】
【表３】
2006231041.tif 000005
【００４１】
【表４】
2006231041.tif 000006
それぞれの形状の実験結果では、表３に示すように、六角形（実施例２）では心拍数は、比較例１の６０回／分から７０回／分に上昇している。血圧は比較例１の９７mmＨｇから１２０mmＨｇに上昇した。又、表４に示すように、六角形（実施例２）において交感神経活動は、比較例１の０．８５７から１．６８９に上昇し、副交感神経活動は、比較例１の０．０８５から０．０３５に低下している。しかし、三角形（比較例２）、四角形（比較例３）では効果が見られず、五角形（実施例１）、七角形（実施例３）及び八角形（実施例４）では、交感神経活動は、比較例１の０．８５７から１．２３５、１．２４５、１．２３３と上昇し、副交感神経活動は比較例１の０．０８５から０．０６５、０．０５９、０．０５９と減少してはいるものの六角形（実施例２）ほどの効果は現れていない。又、九角形（比較例４）、円形（比較例５）においては、効果が見られなかった。以上のデータから六角形（実施例２）が最も効果がある。
【００４２】
以上のように六角形（実施例２）の板状突部１７は、歩行のたびに適正位置に配設された六つの頂点１７ｂで脛骨神経５１及び内側腓腹皮神経５３を最も効率的に刺激するものである。従って、加齢や重力の影響で足の末端に鬱血した静脈の還流を促進するとともに、骨盤の左右のバランスを整えることとなる。
【００４３】
一般に、正常な足３０を有する人が歩行する際には、踵部（踵骨の隆起部３７ａの中心部）より着地し、図９に示す内側アーチＡ１の内側寄りにおいて体重の重心を移動しながら図８に示す踵骨の隆起部３７ａの中心Ｏ１から第１足指骨群６１の先端部の中心Ｏ３と第２足指骨群６２の先端部の中心Ｏ４の間を、つまり前記板状突部１７の対角線Ｌの延長線Ｌ´に沿って歩行の際に足の重心が移動するように歩行が行われるのが理想的である。
【００４４】
上記の理想的な歩行動作を安定化させるためには、実験の結果、板状突部１７の形状を六角形にするとともに、その対角線Ｌの延長線Ｌ´が前記第１及び第２直線Ｌ１，Ｌ２の間の中心に位置するように板状突部１７を貼着することが最も優れていることが判った。この理由は以下のように推論される。すなわち、六角形の板状突部１７は歩行の際に板状突部１７が脛骨神経５１及び内側腓腹皮神経５３を刺激するときの押圧力が六つの頂点１７ｂのうち図４に示す最も後方の一つの頂点１７ｂが歩行の際に脛骨神経５１等を強く刺激し、最も前方の一つの頂点１７ｂも脛骨神経５１等を強く刺激する。又、板状突部１７の対角線Ｌの左右両側にもそれぞれ二つの頂点１７ｂが存在するため、これら計四つの頂点１７ｂにより脛骨神経５１等が四箇所において強く刺激される。この結果、脛骨神経５１等を刺激する効率が最もよくなり、歩行の際に足の左右へのグラツキが抑制され、足を最も安定化した状態とすることができると考えられる。
【００４５】
五角形の板状突部１７は、六角形の板状突部１７と比較すると頂点の数が少ないので、六角形の板状突部１７よりも脛骨神経５１等の刺激効率が劣ると考えられる。又、八角形は六角形の板状突部１７よりも頂点の数が多いので、脛骨神経５１等の刺激効率が劣り、九角形は円形に近く及び円形の板状突部１７は頂点が全く無いので、効率的な神経の刺激を行うことができないと考えられる。
【００４６】
次に、板状突部１７の厚さ寸法を変えて、実験を行ったところ、表５，６に示すデータが得られた。各例の板状突部１７の形状は六角形で、その材料は、いずれもポリウレタン樹脂の微発泡成型品である。又、それらの直径Ｆの寸法が１５ｍｍの同じものを用いた。各例の板状突部１７は、いずれも踵骨支持部１１ａの中心Ｏ１と板状突部１７の中心Ｏ２が一致する箇所に配置されている。比較例１、実施例１〜実施例７、比較例３の板状突部１７の厚さｔの寸法は人の体重による圧縮状態で、０．２ｍｍ、０．５ｍｍ、０．８ｍｍ、１．８ｍｍ、２．２ｍｍ、２．８ｍｍ、３．５ｍｍ、４．０ｍｍ、６．０ｍｍに相違させている。
【００４７】
【表５】
2006231041.tif 000007
【００４８】
【表６】
2006231041.tif 000008
ところで、皮膚は、表皮、真皮、皮下組織の３層からなり、ほぼ表皮の厚さ０．１２ｍｍ、真皮の厚さ１．８ｍｍ、皮下組織の厚さ０．０８ｍｍで全層厚さで、約２．０ｍｍである。板状突部１７の厚さ寸法は、皮膚の厚さ寸法よりも若干薄い１．８ｍｍが最も適切であることが実験により判った。
【００４９】
実験によれば、板状突部１７の厚さ寸法が１．８ｍｍ（実施例３）では、交感神経活動が、表６に示すように比較例１の０．８５７から１．４８９に上昇し、副交感神経活動は比較例１の０．０８５から０．０３２に低下している。この結果は、交感神経活動が高まり、副交感神経活動の低下を示すものである。又、心拍数は表５に示すように比較例１の６０回／分から７２回／分、血圧は比較例の９７mmＨｇから１２２mmＨｇに上昇した。板状突部１７の厚さ寸法が１．８ｍｍ（実施例３）よりも厚く、２．２ｍｍ（実施例４）〜４．０ｍｍ（実施例７）の場合には、交感神経活動は、比較例１の０．８５７から１．１８９〜１．１９４、交感神経活動は、比較例１の０．０８５から０．０５９〜０．０６６、心拍数は表５に示すように比較例１の６０回／分から６３回／分〜６４回／分、血圧は比較例１の９７mmＨｇから１００mmＨｇ〜１０６mmＨｇに上昇しており、比較例１より若干の変動がみられるが、厚さ１．８ｍｍの板状突部１７（実施例１）によって得られる効果は期待できない。反対に、板状突部１７の厚さ寸法が１．８ｍｍよりも薄く、０．８ｍｍ（実施例２）及び０．５ｍｍ（実施例１）では、交感神経活動は比較例１の０．８５７から０．９６５，０．９７９、副交感神経活動は比較例１の０．０８５から０．０６７，０．０６９、心拍数は比較例の６０回／分から６０回／分、６２回／分、血圧は比較例の９７mmＨｇから９９mmＨｇ，１００mmＨｇに上昇しており効果が見られる。しかし、厚さ寸法が０．２ｍｍ（比較例２）以下では効果が無いことがわかった。
【００５０】
以上の実験データから明らかなように、板状突部１７の厚さ寸法が１．８ｍｍの実施例１の場合に、最も血液循環量を増加させることが判った。
次に、板状突部１７の直径Ｆ寸法を変えて、歩行実験を行ったところ、次のような結果が得られた。板状突部１７の形状は六角形で、その材料は、いずれもポリウレタン樹脂の微発泡成型品である。又、板状突部１７は、いずれも踵骨支持部１１ａの中心Ｏ１と板状突部１７の中心Ｏ２が一致する箇所に配置されている。各例の板状突部１７の厚さｔの寸法は人の体重による圧縮状態で、１．８ｍｍである。
【００５１】
直径Ｆが３．０ｍｍ以下では、効果が非常に低いことがわかった。又、直径Ｆが５．０ｍｍ〜２８ｍｍでは、効果が見られ、２８ｍｍ以上では効果が低くなることがわかった。板状突部１７の直径Ｆの寸法は、５．０〜２５．０ｍｍの範囲が望ましい。前記各板状突部１７の直径Ｆの寸法を、８〜２５ｍｍ又は１２〜２２ｍｍに設定するのがさらに望ましい。前記各板状突部１７の直径Ｆの寸法を、１８ｍｍに設定するのがさらに望ましい。
【００５２】
なお、上記実施形態は以下のように変更してもよい。
・  図１０（ａ）〜（ｄ）に示すように、前記板状突部１７の形状を、正五角形、正七角形、正八角形及び星形（五角形の均等物）のいずれか一つにしてもよい。これらの場合にもそれらの中心と一つの頂点を結ぶ対角線Ｌの延長線Ｌ´が前記第１直線Ｌ１と第５直線Ｌ５の間を指向するように貼着するのが望ましい。
【００５３】
・  図１１に示すように、前記化粧シート１３とネームシート１５の間に前記板状突部１７を介在させて、その周囲をミシン糸１６により縫着したり、接着剤により接着したりするようにしてもよい。
【００５４】
・  図１２に示すように、前記底材２２の上面２２ａのほぼ中央部に板状突部１７を取り付けるための嵌合凹部２２ｂを形成し、板状突部１７の下面に形成された凸部１７ｃを嵌入するようにしてもよい。又、図示しないが板状突部１７を靴の構造に応じて底材２２の上面に直接接着したり、中底２４に直接接着したり、底材（ヒール材）等に接着したりしてもよい。
【００５５】
・  図１３に示すように、板状突部１７を外周ほど高くなる緩やかな円弧状に形成してもよい。
・  図１４に示すように、履物としての靴下７１の踵部の底部に板状突部１７を当て布７２を用いてミシン糸７３により縫着してもよい。この場合には、靴下７１を装着した状態で、板状突部１７の位置が適正位置になるように靴下７１の底部を伸縮性の低い材料により形成する必要がある。
【００５６】
・  図１５に示すように、足の第５指及び第４指に連なる第５足指骨群６５及び第４足指骨群６４の間にあり、かつ外側足底神経に連なる第４総底側指神経７５と対応する中敷１１の足裏支持部に対し、該第４総底側指神経７５を刺激するための第４総底側指神経刺激用の板状突部１９Ａを設けてもよい。この場合には第４総底側指神経７５が刺激されて、足の筋肉や足底動脈弓６８（図８参照）等が活性化され、血行を良くすることができる。
【００５７】
又、第４指及び第３指に連なる第４足指骨群６４及び第３足指骨群６３の間にあり、かつ内側足底神経に連なる第３総底側指神経７６と対応する中敷１１の足裏支持部に対し、該第３総底側指神経７６を刺激するための板状突部１９Ｂを設けてもよい。この場合には第３総底側指神経７６が刺激されて、足の筋肉や足底動脈弓６８（図８参照）等が活性化され、血行を良くすることができる。前記足裏支持部に対し前記板状突部１９Ａ，１９Ｂを取付位置の調節可能に可能にしてもよい。
【００５８】
さらに、前記板状突部１９Ａ，１９Ｂを両方設けてもよい。これらの板状突部１９Ａ，１９Ｂを設けた場合には、板状突部１７との相乗効果が期待できる。
上記板状突部１９Ａ，１９Ｂの形状は、図１５に示す四角形以外に、図示しないが長方形、平行四辺形又は三日月形にしてもよい。
【００５９】
・  図１６に示すように板状突部１７を小突起１７ｄの集合体（六角形の均等物）としてもよい。図１７に示すように板状突部１７を例えば六角形のリング状部１７ｅと小突起１７ｆとにより形成し、小突起１７ｆを永久磁石により形成してもよい。
【００６０】
・  図１８に示すように本体シート１２の上面に面ファスナー８１のオス型面ファスナー部８２を接着し、一方、板状突部１７の下面にメス型面ファスナー部８３を接着してもよい。図示しないが例えば複数の係止凹部を靴の底材２２に形成し、板状突部１７の裏面に係止凸部を設けて、係止凹部への係止凸部の係止位置を変更することにより板状突部１７の取付位置の調節を行うようにしてもよい。これらの場合には、板状突部１７を適正な踵骨支持部１１ａの中心Ｏ１、つまり踵骨３７の隆起部の中心Ｏ３７と対応するように容易に取り付けることができる。
【００６１】
・  前記本体シート１２の裏面に接着した板状突部１７をネームシート１５の上面に接着してもよい。中敷１１等に板状突部１７を露出するよう取り付ける場合には、衝撃吸収性能に優れたソフトな材料、例えば発泡樹脂成型品により板状突部１７を形成して、使用時の履き心地を向上するようにするのが望ましい。
【００６２】
・  図示しないが、単体の板状突部１７の裏面に接着剤を塗布し、その接着剤の表面にカバーシートを接着してもよい。この場合にはカバーシートを剥離して、板状突部１７を履物や中敷に接着すればよい。
【００６３】
・  前記本体シート１２の材料として、織物、編み物、或いは不織布等の繊維製品以外に合成皮革、人工皮革、塩化ビニール樹脂、レザー、天然皮革等の一般に使われている材料を用いてもよい。
【００６４】
・  前記板状突部１７の材料として、合成樹脂以外に、天然樹脂、又はその発泡体、合成ゴム、天然ゴム又はそれらの発泡体、合成繊維、天然繊維の織物、編み物、不織布又は合成皮革、人工皮革、天然皮革、コルク等材料を用いてもよい。さらに、金、銀、銅、アルミユウム、鉄、ステンレススチール等の金属やセラミック、ガラス、赤外線を発する天然石、磁石或いは人口石等を用いてもよい。
【００６５】
・  前述した靴や靴下以外に、下駄、スリッパ、サンダル、ハイヒール或いは足袋等の履物に具体化してもよい。又、それらに用いる中敷に具体化してもよい。
・  上記各種の履物の中底の材料としてパルプ圧縮シート、皮革シート或いは不織布等を用いてもよく、その表面に板状突部１７を取り付けてもよい。又、履物の底材（又はヒール材）としてゴム、皮革或いは合成樹脂等を用いてもよく、その表面に板状突部１７を取り付けてもよい。中底のない履物の場合には、底材（ヒール材）の表面に板状突部１７を取り付けてもよい。
（定義）
この明細書で板状突部１７の形状は、五角形、六角形、七角形又は八角形以外にそれらの形状と均等の角形のものも含むものとする。
【図面の簡単な説明】
【００６６】
【図１】この発明の履物を靴の中敷に具体化した一実施形態を示す平面図。
【図２】図１に示す中敷の裏面図。
【図３】図１のＡ−Ａ線拡大断面図。
【図４】中敷の踵骨支持部に対する板状突部の取付位置を説明するための裏面図。
【図５】靴に中敷を収容した使用状態を示す断面図。
【図６】人体の下半身の骨格と筋肉の関係を示す略体側面図。
【図７】人体の下半身の骨格と神経の関係を示す後ろ側から見た略体説明図。
【図８】人体の足の骨格及び血管を裏側から見た略体説明図。
【図９】人体の足の三角形状のアーチを示す斜視図。
【図１０】（ａ）〜（ｄ）はそれぞれ板状突部の別の実施形態を示す平面図。
【図１１】中敷の板状突部の取付構造の別例を示す断面図。
【図１２】靴の底部に対する板状突部の取付構造の別例を示す断面図。
【図１３】板状突部の別例を示す断面図。
【図１４】板状突部を履物としての靴下に具体化した一部破断側面図。
【図１５】中敷の別例を示す裏面図。
【図１６】板状突部の別例を示す斜視図。
【図１７】板状突部の別例を示す斜視図。
【図１８】板状突部の取付構造の別例を示す断面図。
【符号の説明】
【００６７】
Ｌ…対角線、Ｌ１…第１直線、Ｌ５…第５直線、Ｌ´…延長線、Ｏ１…踵骨支持部１１ａの中心、Ｏ２…板状突部１７の中心、Ｏ３…第１足指骨群６１の先端部の中心、Ｏ４…第２足指骨群６２の先端部の中心、１１ａ…踵骨支持部、１７…板状突部、１７ｂ…頂点、１９Ａ，１９Ｂ…神経刺激用の板状突部。
【図１】
2006231041.tif 000009
【図２】
2006231041.tif 000010
【図３】
2006231041.tif 000011
【図４】
2006231041.tif 000012
【図５】
2006231041.tif 000013
【図６】
2006231041.tif 000014
【図７】
2006231041.tif 000015
【図８】
2006231041.tif 000016
【図９】
2006231041.tif 000017
【図１０】
2006231041.tif 000018
【図１１】
2006231041.tif 000019
【図１２】
2006231041.tif 000020
【図１３】
2006231041.tif 000021
【図１４】
2006231041.tif 000022
【図１５】
2006231041.tif 000023
【図１６】
2006231041.tif 000024
【図１７】
2006231041.tif 000025
【図１８】
2006231041.tif 000026